(57)【要約】【目的】この発明はトイレや洗面所などの床面に設置される水封防臭式ワントラップ型排水機構における、悪臭の逆流や排水口の詰まりや虫の潜入など、特に環境的に不潔になりやすい汚染箇所の環境向上を目的とし、ダブルで環境汚染を保持しようとする二重ワントラップ排水機構に関するものである。【構成】トイレや洗面所などの床面などに設置される水封防臭式ワントラップ型排水機構において、外側に一次側ワントラップを、その内部に二次側ワントラップを配してワントラップの二重構造とした基本構成である。【選択図】　図１
2004132154.tif 000002
【特許請求の範囲】
【請求項１】
トイレや洗面所など床面などに設置される水封防臭式ワントラップ型排水機構において、外側に一次側ワントラップを、その内部に二次側ワントラップを配してワントラップの二重構造とした基本構成であり、一次側ワントラップの一次排水口４にセットする二次側ワントラップを一次排水口４に二重に装備する機構を特徴とした二重ワントラップ排水機構。
【請求項２】
上部外周に一次排水口４の上面にセットするフランジ６を有した二次トラップ皿８のフランジ６の下面に密閉防臭用のパッキンを装着した二次側ワントラップを一次排水口４に挿入してセットした機構を特徴とする二重ワントラップ排水機構。
【発明の詳細な説明】
【０００１】
【発明の属する技術分野】
この発明はトイレや先面所などの床面に設置される水封防臭式ワントラップ型排水機構における、悪臭の逆流や排水口の詰まりや虫の潜入など、特に環境的に不潔になりやすい汚染箇所の環境向上を目的とし、ダブルで環境汚染を保持しようとする二重ワントラップ排水機構に関するものである。
【０００２】
【従来の技術】
従来、トイレや洗面所などの床面に設置される水封防臭式ワントラップ型排水機構はワントラップの単体構成であり、環境的や作用的や管理的に問題が発生した場合の補助的安全保持機能などは施されておらず、特に防臭や防虫機構の補助機能的技術は開発されていなかった。
【０００３】
【発明が解決しようとする課題】
従来のトイレや洗面所の水封防臭式ワントラップ型排水機構は補助的安全保持機構が施されていないため次の課題があった。
（イ）ワントラップ排水機構は水封式防臭方式であるため、水が無くなった場合には防臭機能や防虫機能を果たさなくなり、特にトラップ皿の水溜部は上部が開口域であり蒸発による乾燥を促進させるし、また水溜まり域のトラップ皿は構造的にもゴミなどの汚れが溜まりやすい部分であり、床面のゴミなどの異物が集積蓄積され溜まり水量を減少させており、乾燥作用により拍車をかけることになり問題であった。
（ロ）長期間や悪環境での設置によりワントラップの腐食、特にトラップ皿の腐食により水漏れが発生して水封機能がなくなるため、防臭機能や防虫機能を果たさなくなっており問題であった。
（ハ）トラップ皿に床面のゴミなどの異物が集積蓄積されているため防臭ワンが正規にセットされず防臭機能や防虫機能が発揮されていない。
（ニ）ワントラップ排水機構は構造的にもトイレなどの床面のゴミなどの異物が溜まりやすいためワントラップ部や排水口が詰まってしまう、ワントラップの詰まりについては開放しての清掃が可能であるが、排水口や排水管の詰まりは修理が困難で問題であった。
（ホ）水封式ワントラップ排水口の機構や作用などを理解する人も少なく、水の補給を滞るなどの管理的問題も多かった。
【０００４】
【問題を解決するための手段】
いまその課題を解決するための構成を図面により説明すれば、
トイレや洗面所などの床面などに設置される水封防臭式ワントラップ型排水機構において、外側に一次側ワントラップを、その内部に二次側ワントラップを配してワントラップの二重構造とした基本構成である。
（イ）水封防臭式ワントラップ型排水機構において、一次側ワントラップの一次排水口４内に挿入できる小型サイズの二次トラップ皿８から構成される二次側ワントラップを二重に装備する機構とした二重防臭、防虫の二重ワントラップ排水機構。
（ロ）上部外周に一次排水口４の上面と接合するフランジ６を有した二次トラップ皿８のフランジ６の下面に防臭平パッキン７を装着し、二次側ワントラップを一次排水口４に挿入してセットした機構の二重ワントラップ排水機構。
（ハ）一次側ワントラップは水溜用で皿状の一次トラップ皿３の中央に円筒状の一次排水口４を有し、それをワン状の一次防臭ワン２で覆い、その上に保護板の目皿１をセットした構成であり、二次側ワントラップは一次側ワントラップの小型サイズで二次トラップ皿８の上端外周にフランジ６を有して防臭平パッキン７をセットした機構である。
【０００５】
【作用】
次に本発明の作用を述べると、
（イ）トイレなどの床面の清掃などで水洗いした水やゴミなどの異物は目皿１を通って一次防臭ワン２より一次トラップ皿３に溜まり、溢れる水は二次防臭ワン５より二次トラップ皿８に溜まり、さらに溢れる水は排水口９から排水される作用である。
（ロ）水は一次トラップ皿３と二次トラップ皿８に溜まり二重の水封作用をなすものである。
（ハ）排水管内部から逆流する臭気はフランジ６の防臭平パッキン７により密閉されるため二次排水口９から噴出するが二次防臭ワン５と二次トラップ皿８、および一次防臭ワン２と一次トラップ３の二重水封作用による二重防臭と二重防虫作用をなすものである。
（ニ）一次トラップ皿３にはゴミなどの異物が溜まる部分でもあるし上部が開口しているため乾燥作用が促進され水封性に問題があり、二次トラップ皿８での水封が有効に作用する。
【０００６】
【発明の実施の形態】
具体実施例を述べる、
（イ）二次トラップ皿８上端のフランジ６と防臭平パッキン７を接着し、且つ、一次排水口４の上面とも接着させて密閉性を向上させる構成とする。
（ロ）目皿と防臭ワンがビス止め構造の場合には二次防臭ワン５の上に二次目皿を組み合わせる構成とする。
【０００７】
【発明の効果】
二重の防臭、防虫作用により、より安全で快適な環境を保持できます。
具体的効果を列記すれば、
（イ）従来の一次側のみのワントラップ排水機構は構造的にも乾燥しやすいし、ゴミなどの異物が溜まりやすいため水封式防臭、防虫機構としては未だ不十分であったが、二次側ワントラップ排水機構は一次側ワントラップによりカバーされているため水の乾燥も少なくゴミなども溜まりにくい構造であり水封式防臭、防虫効果が有効に作用しますし、環境の安全性を従来の二倍以上向上させます。
（ロ）既存の一次側のみのワントラップ排水機構に二次側ワントラップ排水機構を追加して装備できるため容易に、且つ安価で防臭、防虫作用を高めることができます。
（ハ）二重のワントラップ排水機構によりゴミなどの異物も二重のワントラップにて保持されるため排水口や配水管の詰まりが削減されます。
【０００８】
一次側ワントラップが腐食して機能を喪失した場合においても、二次側ワントラップにより防臭、防虫効果を保持することができます。
（イ）二次側ワントラップ排水機構は防臭、防虫作用の補助的作用とダブルの安全保護作用をなすものです。
【０００９】
トイレや洗面所などの環境的に汚染されやすい場所において、排水機構の構造的、管理的問題などを解決し、防臭や防虫作用の二重安全機構を確立できるため、汚い場所の生活環境を向上させ、明るく楽しい社会づくりに大きく貢献するものであります。
【図面の簡単な説明】
【図１】本発明の斜視図
【図２】本発明の中央断面図
【符号の説明】
１は目皿
２は一次防臭ワン
３は一次トラップ皿
４は一次排水口
５は二次防臭ワン
６はフランジ
７は防臭平パッキン
８は二次トラップ皿
９は二次排水口
【図１】
2004132154.tif 000003
【図２】
2004132154.tif 000004